(57)【要約】      （修正有）【課題】ランドセルの蓋板に取付けた掛止板の係止位置を増設し、収納教材の量に対応して適正な位置に蓋板を被せることができるランドセル用蓋止め錠を提供する。【解決手段】主収容室と副収容室と前ポケット部とからなるランドセル本体と、一端を背板の上端に取付けてランドセル本体の開口部を覆う蓋板と、ランドセル本体を背負う背負いベルトからなるランドセルにおいて、ランドセル本体の外底面に取付けたロック機構を内蔵した錠本体１３に、蓋板の先端に取付けた掛止板３０を着脱可能に形成した蓋止め錠１２を取付けてなり、掛止板３０は、蓋板の先端に取付けた連結舌片に連結する接続部３１を一端に設け、他端に幅狭に形成した掛止舌部３５を設け、中央長手方向に錠本体１３のロック機構の回転子２０と嵌合可能な第１〜３嵌合孔４１、４２、４３を設けてなる。【選択図】図２
0003211327.tif 000002
【実用新案登録請求の範囲】
【請求項１】
主収容室（３）と副収容室（４）と前ポケット部（５）とからなるランドセル本体（２）と、一端を背板（７）の上端に取付けて前記ランドセル本体（２）の開口部を覆う蓋板（９）と、ランドセル本体（２）を背負う背負いベルト（８）からなるランドセル（１）において、前記ランドセル本体（２）の外底面に取付けたロック機構（Ｘ）を内蔵した錠本体（１３）に、前記蓋板（９）の先端に取付けた掛止板（３０）を着脱可能に形成した蓋止め錠（１２）を取付けてなり、前記掛止板（３０）は、前記蓋板（９）の先端に取付けた連結舌片（１０）に連結する接続部（３１）を一端に設け、他端に幅狭に形成した掛止舌部（３５）を設け、中央長手方向に前記錠本体（１３）のロック機構（Ｘ）の回転子（２０）と嵌合可能な第１、２、３嵌合孔（４１、４２、４３）を設けてなることを特徴とするランドセル用蓋止め錠。
【請求項２】
前記掛止板（３０）は、幅方向の両端に補強段部（３８）を設けてなることを特徴とする請求項１記載のランドセル用蓋止め錠。
【請求項３】
前記補強段部（３８）は、外縁長手方向に前記錠本体（１３）の掛止溝部（１５）に設けた係合部（１６）に合致する凹凸状の係合部（３９）を設けてなることを特徴とする請求項２記載のランドセル用蓋止め錠。
【請求項４】
前記掛止板（３０）は、接続部（３１）と第１嵌合孔（４１）との間の裏面に一対の係止突起（４５）を幅方向に設けてなることを特徴とする請求項１または２記載のランドセル用蓋止め錠。
【請求項５】
前記掛止板（３０）の接続部（３１）は、中央に連結孔（３２）と左右にリベット孔（３３）を設けてやや上方に折り曲げてなることを特徴とする請求項１ないし４のいずれか１記載のランドセル用蓋止め錠。
【請求項６】
前記掛止板（３０）の先端に設けた掛止舌部（３５）は、先端に保護キャップ（３６）を取付けてなることを特徴とする請求項１記載のランドセル用蓋止め錠。
【請求項７】
主収容室（３）と副収容室（４）と前ポケット部（５）とからなるランドセル本体（２）と、一端を背板（７）の上端に取付けて前記ランドセル本体（２）の開口部を覆う蓋板（９）と、ランドセル本体（２）を背負う背負いベルト（８）とからなるランドセル（１）において、前記ランドセル本体（２）の外底面に取付けたロック機構（Ｘ）を内蔵した錠本体（１３）に、前記蓋板（９）の先端に取付けた掛止板（３０）を着脱可能に形成した蓋止め錠（１２）を取付けてなり、前記掛止板（３０）は、前記蓋板（９）の先端に取付けた連結舌片（１０）に取付ける接続部（３１）を一端に設け、他端に幅狭に形成した掛止舌部（３５）を形成し、中央長手方向に前記錠本体（１３）のロック機構（Ｘ）の回転子（２０）と嵌合可能な第１、２、３嵌合孔（４１、４２、４３）を連設し、前記接続部（３１）と第１嵌合孔（４１）との間の裏面に一対の係止突起（４５）を幅方向に設け、さらに前記掛止板（３０）の幅方向の両端に補強段部（３８）を設け、該補強段部の端面に係合部（３９）をそれぞれ一体に設けてなることを特徴とするランドセル用蓋止め錠。
【考案の詳細な説明】
【技術分野】
【０００１】
本考案は、学童用ランドセルに取付けた蓋止め錠の改良に関する。
【背景技術】
【０００２】
従来、学童用ランドセルに取付けられている蓋止め錠は、ランドセル本体の底面に取付ける錠本体と蓋板に取付ける掛止板とからなり、前記錠本体は、左右に背負いベルトの一端を連結するだるま環を回動可能に取付け、中央に前記掛止板を着脱可能に挿通する係止段部を設け、該係止段部の中央裏面に前記掛止板をロックまたはアンロックするためのロック機構を内蔵した錠箱を取付けてある。
【０００３】
一方、前記錠本体に着脱可能に取付ける掛止板は、長手方向に二段階で調整するため２個の嵌合孔を設けてなり、該掛止板の嵌合孔のいずれかを錠本体の係止溝部に挿通すると同時に係止溝部の中央に突出したロック機構の回転子に嵌合孔を嵌合すると掛止板が係止溝部に位置した操作ピンを押圧し、該操作ピンが下がると前記回転子のロックが外れて回動して掛止板お嵌合孔を直角方向に位置し、掛止板をロックする蓋止め錠が知られている。
【先行技術文献】
【特許文献】
【０００４】
【特許文献１】特開２００１−２５２１２１号
【特許文献１】特開２００７−７１０１３号
【０００５】
しかし、ランドセルに収納されるものは、教科書、ノート、各種教材さらには体操着や給食着など多種多様である。さらには、学年、季節などによりランドセルに収納するものが相違する。そのため、ランドセルの蓋板に取付けられている従来の掛止板の嵌合孔の数では、蓋板を適正に被せることが困難であった。
【０００６】
ランドセルは、低学年の学童が使用するときはランドセルが新しいため皮革の強度があり比較的型崩れをし難いが、学童が高学年になるとランドセルも経年変化により型崩れしやすくなる。そのため、収納教材が少ない場合、各収納室に余白ができやすく、各収納室の上面を蓋板で覆っても、掛止板が２つ穴では蓋板と収納室の上面との間に余白ができやすい。  
【０００７】
そのため、ランドセルの各収納室の上面を十分に覆うことが出来ないと、収納教材が収納室内を移動したり、隙間から飛び出したりしやすい。また、収納教材が多い場合には、蓋板が閉まらなくなり、無理やり締めると収納教材が潰れたり、蓋止め錠のロック装置が壊れるおそれがあり不便であるという問題点を有している。
【考案の概要】
【考案が解決しようとする課題】
【０００８】
そこで、蓋止め錠を構成する掛止板の嵌合孔を増設することにより、蓋板の閉じ幅を広げ、前記ランドセルに収納する教材の多い少ないに対応して適正な位置に蓋板を被せることができるようにすることを課題とする。
【課題を解決するための手段】
【０００９】
請求項１の考案は、主収容室３と副収容室４と前ポケット部５とからなるランドセル本体２と、一端を背板７の上端に取付けて前記ランドセル本体２の開口部を覆う蓋板９と、ランドセル本体２を背負う背負いベルト８からなるランドセル１において、前記ランドセル本体２の外底面に取付けたロック機構Ｘを内蔵した錠本体１３に、前記蓋板９の先端に取付けた掛止板３０を着脱可能に形成した蓋止め錠１２を取付けてなり、前記掛止板３０は、前記蓋板９の先端に取付けた連結舌片１０に連結する接続部３１を一端に設け、他端に幅狭に形成した掛止舌部３５を設け、中央長手方向に前記錠本体１３のロック機構Ｘの回転子２０と嵌合可能な第１、２、３嵌合孔４１、４２、４３を設けてなることを特徴とする。また、前記掛止板３０は、幅方向の両端に補強段部３８を設けてなることを特徴とする。さらに、前記補強段部３８は、外縁長手方向に前記錠本体１３の掛止溝部１５に設けた係合部１６に合致する凹凸状の係合部３９を設けてなることを特徴とする。さらにはまた、前記掛止板３０は、接続部３１と第１嵌合孔４１との間の裏面に一対の係止突起４５を幅方向に設けてなることを特徴とする。また、前記掛止板３０の接続部３１は、中央に連結孔３２と左右にリベット孔３３を設けてやや上方に折り曲げてなることを特徴とする。さらに、前記掛止板３０の先端に設けた掛止舌部３５は、先端に合成樹脂製の保護キャップ３６を取付けてなることを特徴とする。
【００１０】
したがって、ランドセル１の蓋板９に取付けた掛止板３０をやや長くして嵌合孔の数を３個にすることにより、ランドセル本体２の各収納室に収納する教材の量に合わせて開口部を蓋板９で適正に覆うことができる。また、掛止板３０をやや長くしたことによる強度不足を補強するため、幅方向の両端に補強段部３８を設けて変形を防止し、さらに、掛止板３０を長くしたことから第１嵌合孔４１を錠本体１３に係止すると、掛止板３０と回転子２０との隙間が先端側ほど広がりが大きくなって掛止板３０のガタつきによる振動も大きくなる。そのため、掛止板３０の裏面に係止突起４５を設けて掛止板３０と掛止溝部１５との隙間を埋めることによりガタつきによる振動を防止している。さらにはまた、掛止板３０を長尺に形成したことにより、先端の掛止舌部３５が錠本体１３から突出するため、前記掛止舌部３５の先端に保護キャップ３６を取付けて学童の怪我を防止している。
【００１１】
請求項７の考案は、主収容室３と副収容室４と前ポケット部５とからなるランドセル本体２と、一端を背板７の上端に取付けて前記ランドセル本体２の開口部を覆う蓋板９と、ランドセル本体２を背負う背負いベルト８からなるランドセル１において、前記ランドセル本体２の外底面に取付けたロック機構Ｘを内蔵した錠本体１３に、前記蓋板９の先端に取付けた掛止板３０を着脱可能に形成した蓋止め錠１２を取付けてなり、前記掛止板３０は、前記蓋板９の先端に取付けた連結舌片１０に取付ける接続部３１を一端に設け、他端に幅狭に形成した掛止舌部３５を形成し、中央長手方向に前記錠本体１３のロック機構Ｘの回転子２０と嵌合可能な第１、２、３嵌合孔４１、４２、４３を連設し、前記接続部３１と第１嵌合孔４１との間の裏面に一対の係止突起４５を幅方向に設け、さらに前記掛止板３０の幅方向の両端に補強段部３８を設け、該補強段部の端面に係合部３９をそれぞれ一体に設けてなることを特徴とする。
【００１２】
したがって、ランドセル１の蓋板９に設けた掛止板３０を長くして３個の嵌合孔４１、４２、４３を設けて固定位置を増やすことにより、ランドセル本体２の各収納室に収納する教材の量に合わせて開口部を蓋板９で適正に覆うことができる。また、掛止板３０を長くしたことによる強度不足を補強するため幅方向の両端に補強段部３８を設けて掛止板３０の変形を防止し、さらに、掛止板３０の第１嵌合孔４１、または第３嵌合孔４３に係止すると、掛止板３０と回転子２０との隙間が先端側または後端側ほど広がって掛止板３０のガタつきによる振動で回転子２０、またはロック機構Ｘが破損するのを防止するため、掛止板３０の裏面に係止突起４５及び、掛止舌部３５に設けた保護キャップ３６で掛止板３０のガタつきを防止している。さらにはまた、掛止板３０を長尺に形成したことにより、先端の掛止舌部３５が錠本体１３から突出するため、前記掛止舌部３５の先端による万一の怪我を防止するため掛止舌部３５の先端に保護キャップ３６を取付けてある。
【図面の簡単な説明】
【００１３】
【図１】ランドセルの底面に取付けた蓋止め錠で蓋板を閉じた状態の底面図である。
【図２】蓋止め錠の拡大平面図である。
【図３】錠本体の平面図である。
【図４】掛止板の平面図である。
【図５】掛止板の裏面図である。
【図６】図５のＡ−Ａ線断面図である。
【図７】図５のＢ―Ｂ線断面図である。
【図８】図５のＣ―Ｃ線断面図である。
【図９】掛止板の第３嵌合孔に錠本体の回転子をロックした状態を示す断面図である。
【図１０】掛止板の第１嵌合孔に錠本体の回転子をロックした状態を示す断面図である。
【考案を実施するための形態】
【００１４】
本考案の実施の形態を図面に基づき説明すると、図１はランドセルの底面に設けた蓋止め錠で蓋板を閉じた状態の底面図、図２は蓋止め錠の拡大平面図、図３は錠本体の平面図、図４は掛止板の平面図、図５は掛止板の裏面図、図６は図５のＡ−Ａ線断面図、図７は図５のＢ―Ｂ線断面図、図８は図５のＣ―Ｃ線断面図である。ランドセル１は、皮革または合成皮革などで形成したランドセル本体２と、該ランドセル本体の全体を覆う蓋板９と、ランドセル本体２を背負う背負いベルト８により構成されている。
【００１５】
ランドセル本体２は、教科書やノートまたは筆箱などを収容する上方を開口した主収容室３と、その他の学習用具などを入れる上方を開口した副収容室４と、上面をジッパーで開閉可能に形成した袋状の前ポケット部５を連設して形成してある。
【００１６】
前記蓋板９は、図１に示すごとく、皮革または合成皮革からなり、一端をランドセル本体２の背板７の上端に縫着固定し、他端に取付けた連結舌片１０に掛止板３０の接続部３１を取付けてランドセル本体２の外底面に設けた錠本体１３と着脱可能に連結して蓋止め錠１２を形成してある。
【００１７】
ランドセル本体２の開口部全体を覆う蓋板９は、開口部を適正に覆うことによりランドセル１を背負った学童がランドセルを放り投げたり、学童が転んだりしたときでも蓋板９が開いて中身が飛び出したりするのを防止している。
【００１８】
前記蓋止め錠１２は、図２に示すごとく、前記ランドセル本体２の外底面に取付けたロック機構Ｘを内蔵した錠本体１３と、蓋板９の先端に設けた連結舌片１０に取付けた掛止板３０とからなり、錠本体１３は、図３に示すごとく、中央に前記掛止板３０を挿通する掛止溝部１５を設け、該掛止溝部の両壁に凹凸状の係止部１６を設け、左右の両側に背負いベルト８の一端を連結するだるま環１８を軸支する連結部１７を設けてある。
【００１９】
前記錠本体１３の掛止溝部１５は、表面中央に回転可能に軸支した回転子２０と、該回転子を作動させる作動ピン２４を位置し、掛止溝部１５の裏面中央に前記回転子２０と作動ピン２４を操作するロック機構Ｘを収容した錠ボックス１９を取付けてある。
【００２０】
前記錠ボックス１９に内蔵されたロック機構Ｘは、周知のロック機構で、回転子２０と同軸に取付けた回動軸２１と、該回動軸を回動させるコイルばね（図示せず）と、掛止板３０により押圧される作動ピン２４と、該作動ピンを作動させるばね（図示せず）と、前記作動ピンの降下により回動軸２１のロックを解除する作動片２５と、前記掛止板３０を吸着させる磁石（図視せず）からなる。この磁石はなくてもよい。
【００２１】
掛止板３０は、図４〜８に示すごとく、金属板をプレス加工により矩形に形成し、長手方向の一端に前記蓋板９の先端に取付けた連結舌片１０と連結する接続部３１を形成し、他端に幅狭に形成した掛止舌部３５を設け、中央長手方向に前記錠本体１３のロック機構Ｘの回転子２０と嵌合する固定位置が相違する第１嵌合孔４１、第２嵌合孔４２、第３嵌合孔４３を横長にそれぞれ設けてある。
【００２２】
前記掛止板３０の接続部３１は、図６に示すごとく、一端をやや上方に折り曲げて形成し、蓋板９の連結舌片１０に留板（図示せず）を介して連結するための連結孔３２を中央に設け、左右両側に設けたリベット孔３３にリベットを挿通してかしめ止して連結してある。
【００２３】
前記掛止板３０は、図５、７に示すごとく、やや長尺に形成したことから幅方向の両端に補強段部３８を設けて掛止板３０の強度を補強し、該補強段部の端面に前記錠本体１３の掛止溝部１５の壁面に設けた凹凸状の係合部１６と合致する凹凸状の係合部３９を設けてある。
【００２４】
前記掛止板３０は、各嵌合孔４１、４２、４３と錠本体１３の回転子２０を嵌合してロックしたとき、該回転子と掛止板３０と間に隙間ができる。一方、掛止板３０の第１嵌合孔４１または第３嵌合孔４３は、回転子２０と掛止舌部３５または接続部３１との距離が長くなることから隙間の幅が広がってガタ付きによる振動幅が大きくなる。
【００２５】
前記掛止板３０の先端側のガタ付きによる振動幅が大きくなると、掛止板３０の振動が回転子２０に衝撃となって強く当たるため、回転子２０または内蔵したロック機構Ｘが衝撃で損傷するおそれがある。
【００２６】
そこで、掛止板３０は、図５、８に示すごとく、接続部３１と第１嵌合孔４１との間で、表面側から裏面側にポンチ加工により裏面側に突出させた一対の係止突起４５を幅方向に設けることにより、掛止板３０と回転子２０との隙間を押さえることより、ガタ付きによる振動を少なくしてロック機構Ｘが破損するのを防止している。
【００２７】
また、掛止板３０の第３嵌合孔４３を錠本体１３に嵌合した場合は、第１嵌合孔４１と同様の現象が生じるおそれがあるが、錠本体１３に第３嵌合孔４３を嵌合すると、図９に示すごとく、掛止舌部３５の先端に取付けた保護キャップ３６の下面が掛止板３０と回転子２０との隙間を埋めることができるため、掛止板３０のガタ付きによる振動を防止することができる。
【００２８】
さらに、錠本体１３の回転子２０を掛止板３０の第２嵌合孔４２に掛け止した場合、掛止板３０は中間に位置するため、回転子２０と接続部３１または掛止舌部３５までの距離が短いため隙間による振動幅が小さくロック機構Ｘを破損するようなガタつきによる振動を生じない。
【００２９】
ランドセル１の蓋板９に取付けた掛止板３０を錠本体１３に留着する場合、錠本体１３の掛止溝部１５の中央に位置した回転子２０に掛止板３０の任意個所の嵌合孔を上方から嵌合すると、ロック機構Ｘに内蔵された磁石（図示せず）により掛止板３０が掛止溝部１５に吸着されると同時に掛止板３０が作動ピン２４を押し下げる。この場合、磁石ではなく、掛止板３０を手で押し下げて作動ピン２４を作動させてロックすることができるのは勿論である。
【００３０】
前記掛止板３０により作動ピン２４が押し下げられると、回転子２０の回動軸２１に巻装したコイルばね２２ロックしている作動片２５が作動してロックが解除されると、回転子２０がコイルばね２２の弾発力により掛止板３０の嵌合孔４１と直角方向に回転して掛止板３０を錠本体１３にロックする。
【００３１】
前記錠本体１３にロックされた掛止板３０の解除は、手動で回転子２０を元の位置に回動させて掛止板３０の嵌合孔４１と並行に位置させると回転子２０の回動軸２１が作動片２５にロックされると同時に作動ピン２４がばね（図示せず）の弾発力で元の位置に上昇してリセットされる。
【００３２】
前記掛止板３０の先端に設けた掛止舌部３５は、掛止板３０の掛止舌部３５が錠本体１３から突出するため掛止舌部３５の先端に合成樹脂製の保護キャップ３６を取付け、掛止舌部３５による学童の怪我を防止している。さらに、前記保護キャップ３６は、掛止板３０の第１嵌合孔４１に錠本体１３の回転子２０を嵌合してロックした場合、掛止板３０と掛止溝部１５との隙間に介在して掛止板３０のガタ付きを防止している。  
【００３３】
本考案に係る実施例の作用について説明すると、ランドセル１の底面に取付けた蓋止め錠１２を構成する掛止板３０に３個の嵌合孔４１、４２、４３を設けて全体をやや長尺に形成し、且つ、掛止板３０を長尺に形成したことによる強度不足を補うために幅方向の両端に補強段部３８を設けると共に、接続部３１と第１嵌合孔４１との間に掛止板３０と錠本体１３の回転子２０との間にできた隙間による振動を防止する係止突起４５を底面に設けてある。
【００３４】
この掛止板３０の錠本体１３への施錠は、図９に示すごとく、例えば、掛止板３０の第３嵌合孔４３に錠本体１３をロックする場合、錠本体１３の掛止溝部１５の中央に位置した回転子２０に掛止板３０の第３嵌合孔４３を上方から嵌合すると、掛止溝部１５の内壁に設けた係合部１６と掛止板３０の両側に設けた係合部３９が合致し、掛止板３０を幅方向へ揺動するのを防止することができる。
【００３５】
次いで、掛止溝部１５内に掛止板３０が挿入されるとロック機構Ｘに内蔵されている磁石により、掛止板３０が掛止溝部１５の底面に吸着されると同時に掛止溝部１５の中央に位置した作動ピン２４を押し下げ、回転子２０の回動軸２１に巻装したコイルばねをロックしている作動片２５のロックが解除されて回転子２０がコイルばねの弾発力により、掛止板３０の第３嵌合孔４３と直角方向に回転して掛止板３０を錠本体１３にロックする。
【００３６】
この際、掛止板３０の第３嵌合孔４３を錠本体１３に掛止すると、やや長い掛止板３０と回転子２０との間にできた隙間により、掛止板３０の長手方向にガタつきによる振動が生じるため、掛止舌部３５の先端に取付けた保護キャップ３６で掛止板３０と錠本体１３との隙間を埋め、掛止板３０のガタつきによる振動を防止している。
【００３７】
前記錠本体１３にロックした掛止板３０の解除は、手動で回転子２０を回動させて掛止板３０の第３嵌合孔４３と並行に位置させると回転子２０は、回動軸２１が作動片２５にロックされる同時に作動ピン２４がばねの弾発力で元の位置に上昇してリセットされる。
【００３８】
図１０に示すごとく、掛止板３０の第１嵌合孔４１に錠本体１３を掛止する場合、（ロック動作は前記した掛止板３０の第３嵌合孔４３を錠本体１３にロックする場合と同じであることから、説明が重複するため省略する。）ロックした掛止板３０の先端掛止舌部３５方向と回転子２０との間に生じる隙間を、第１嵌合孔４１と接続部３１との間の底面に設けた係止突起４５により隙間を埋めて掛止板３０のガタつきによる振動を防止することができる。
【００３９】
掛止板３０の第２嵌合孔４２に錠本体１３を掛止した場合、掛止板３０は錠本体１３の中間に位置するため、回転子２０と接続部３１または掛止舌部３５までの距離が短いことから隙間による振動幅が小さいためロック機構Ｘを破損するようなガタつきによる振動を生じる可能性は少ない。
【符号の説明】
【００４０】
１      ランドセル
２      ランドセル本体
３      主収容室
４      副収納室
５      前ポケット
７      背板
８      背負いベルト
９      蓋板
１０    連結舌片
１２    蓋止め錠
１３    錠本体
１５    掛止溝部
１６    係合部
１７    連結部
１８    だるま環
１９    錠ボックス
２０    回転子
２１    回動軸
２４    作動ピン
２５    作動片
３０    掛止板
３１    接続部
３２    留孔
３３    リベット孔
３５    掛止舌部
３６    保護キャップ
３８    補強段部
３９    係合部
４１    第１嵌合孔
４２    第２嵌合孔
４３    第３嵌合孔
４５    係止突部
Ｘ    ロック機構
【図１】
0003211327.tif 000003
【図２】
0003211327.tif 000004
【図３】
0003211327.tif 000005
【図４】
0003211327.tif 000006
【図５】
0003211327.tif 000007
【図６】
0003211327.tif 000008
【図７】
0003211327.tif 000009
【図８】
0003211327.tif 000010
【図９】
0003211327.tif 000011
【図１０】
0003211327.tif 000012